(57)【要約】【課題】大屋根の閉鎖時に、大屋根を所定の位置に容易に位置決めでき、それにより、外観の向上を図ることができるグランド型ピアノの大屋根位置決め装置を提供する。【解決手段】側板２に支点７を中心として回動自在に取り付けられた大屋根５を位置決めするためのグランド型ピアノ１の大屋根位置決め装置であって、大屋根５の裏面および側板２の一方の支点７以外の位置に設けられた係合凸部１１と、大屋根５の裏面および側板２の他方の係合凸部１１に対応する位置に設けられ、大屋根５の閉鎖時に係合凸部１１と係合することによって、大屋根５を所定の位置に位置決めする係合凹部１２と、を備えている。【選択図】  図２
2004151302.tif 000002
【特許請求の範囲】
【請求項１】
側板に支点を中心として回動自在に取り付けられた大屋根を位置決めするためのグランド型ピアノの大屋根位置決め装置であって、
前記大屋根の裏面および前記側板の一方の前記支点以外の位置に設けられた係合凸部と、
前記大屋根の裏面および前記側板の他方の前記係合凸部に対応する位置に設けられ、前記大屋根の閉鎖時に前記係合凸部と係合することによって、前記大屋根を所定の位置に位置決めする係合凹部と、
を備えていることを特徴とするグランド型ピアノの大屋根位置決め装置。
【請求項２】
前記係合凸部は、前記大屋根の裏面に取り付けられた弾性を有する突起部材で構成され、
前記係合凹部は、前記側板の内側面に取り付けられた金具に形成され、前記突起部材が嵌合する嵌合孔で構成されていることを特徴とする、請求項１に記載のグランド型ピアノの大屋根位置決め装置。
【請求項３】
前記突起部材に、前記嵌合孔側に向かって狭まるテーパが付けられていることを特徴とする、請求項２に記載のグランド型ピアノの大屋根位置決め装置。
【発明の詳細な説明】
【０００１】
【発明の属する技術分野】
本発明は、側板に蝶番を介して回動自在に取り付けられた大屋根を位置決めするためのグランド型ピアノの大屋根位置決め装置に関する。
【０００２】
【従来の技術】
図６は、従来の一般的なグランド型の電子ピアノを示している。このグランド型の電子ピアノ５１は、側板２で取り囲まれたピアノ本体３を備えており、このピアノ本体３の上面には、天板４および大屋根５が設けられている。天板４は、左右方向に延びる長方形状のものであり、ピアノ本体３の前部を覆うように側板２の上面に固定されており、譜面台６が取り付けられている。大屋根５は、天板４の後方に配置され、側板２の低音側端部に前後２つの蝶番７、７を介して回動自在に取り付けられている。大屋根５の裏面の高音側の所定位置には、左右２つの大屋根突揚棒受８、８が設けられている。一方、側板２は、棚板９などとともにピアノ本体３の外装を構成しており、高音側の内側面には、大屋根突揚棒１０の一端部が、支軸（図示せず）を介して折りたたみ自在に取り付けられている。
【０００３】
以上の構成により、電子ピアノ５１を演奏する場合には、図６に示すように、大屋根５が、蝶番７を中心として開放されるとともに、大屋根突揚棒１０を大屋根５の大屋根突揚棒受８に係合させることにより、所定の開放角度で開放した状態に保たれ、電子ピアノ５１で発生した演奏音を反射する役割を果たす。一方、電子ピアノ５１の非演奏時には、ピアノ本体３内の内部機構（図示せず）を保護すべく、大屋根突揚棒１０が折りたたまれ、大屋根５は側板２に載った状態で閉鎖され、ピアノ本体３を覆う（図７の状態）。
【０００４】
また、グランド型の電子ピアノとして、演奏音が外部のスピーカやヘッドホーンで出力できることから、大屋根を開閉可能に構成しないで、ピアノ本体に固定したものも知られている（例えば、特許文献１参照）。
【０００５】
【特許文献１】
特開平９−１７１３８２号公報（第２頁、第２図、第３図）
【０００６】
【発明が解決しようとする課題】
しかし、上記従来のグランド型の電子ピアノ５１では、大屋根５は、側板２の低音側端部に蝶番７を介して回動自在に取り付けられるとともに、閉鎖した状態で側板２に単純に載っているだけなので、所定の位置に対して前後方向にずれた状態で閉鎖されることがある。特にグランド型の電子ピアノ５１は、図７に示すような、奥行きの短いものが多いので、それに応じて、支点となる２つの蝶番７、７間の間隔も短くならざるを得ない。このため、大屋根５の高音側（自由端側）が前後方向にぶれやすく、図７に示すように、大屋根５と天板４との間の隙間が低音側（Ｇ１）と高音側（Ｇ２）で異なってしまい、このような隙間のばらつきによって、外観が損なわれてしまう。
【０００７】
本発明は、このような課題を解決するためになされたものであり、大屋根の閉鎖時に、大屋根を所定の位置に容易に位置決めでき、それにより、外観の向上を図ることができるグランド型ピアノの大屋根位置決め装置を提供することを目的としている。
【０００８】
【課題を解決するための手段】
この目的を達成するため、本発明は、側板に支点を中心として回動自在に取り付けられた大屋根を位置決めするためのグランド型ピアノの大屋根位置決め装置であって、大屋根の裏面および側板の一方の支点以外の位置に設けられた係合凸部と、大屋根の裏面および側板の他方の係合凸部に対応する位置に設けられ、大屋根の閉鎖時に係合凸部と係合することによって、大屋根を所定の位置に位置決めする係合凹部と、を備えていることを特徴とする。
【０００９】
この構成によれば、大屋根の閉鎖時には、大屋根の裏面および側板の一方に設けた係合凸部が、大屋根の裏面および側板の他方に設けた係合凹部と係合する。このため、大屋根が閉鎖方向へ回動する際に、自由端側が所定の位置に対して、前後方向に多少ぶれても、支点以外の位置に設けた係合凸部を係合凹部に係合させることにより、所定の位置に対して前後方向にずれた状態で閉鎖されるのを防ぐことができる。これにより、大屋根を所定の位置に容易に位置決めでき、固定された天板が大屋根に隣接して設けられるような場合でも、天板との間の隙間のばらつきが生じることなく、外観の向上を図ることができる。
【００１０】
この場合、係合凸部は、大屋根の裏面に取り付けられた弾性を有する突起部材で構成され、係合凹部は、側板の内側面に取り付けられた金具に形成され、突起部材が嵌合する嵌合孔で構成されていることが好ましい。
【００１１】
この構成によれば、大屋根の閉鎖時には、突起部材を、金具の嵌合孔に嵌合させることにより、大屋根を前後および左右の両方向の所定位置に容易に位置決めすることができる。また、金具は、側板の内側面に取り付けられることにより、大屋根の閉鎖状態では外部からはまったく見えないので、従来の外観をそのまま維持することができる。さらに、突起部材が弾性を有していることにより、大屋根を閉鎖方向に回動したときに、側板などに傷がつかないようにするとともに、突起部材が嵌合孔に嵌合するときの接触音を防ぐことができる。
【００１２】
さらに、この場合、突起部材に、嵌合孔側に向かって狭まるテーパが付けられていることが好ましい。
【００１３】
この構成によれば、大屋根の閉鎖時には、突起部材が嵌合孔に嵌合しやすくなり、大屋根の位置決めを、より容易に行えるとともに、大屋根の開放時には、突起部材が嵌合孔から抜けやすくなり、大屋根の開閉操作性を向上させることができる。
【００１４】
【発明の実施の形態】
以下、本発明の好ましい実施形態を、図面を参照しながら説明する。図１は、本発明の第１実施形態による大屋根位置決め装置を適用したグランド型の電子ピアノ（以下単に「電子ピアノ」という）１を示している。なお、以下の説明では、電子ピアノ１の構成要素のうち、図６に示した従来の電子ピアノ５１と共通のものについては、同じ参照番号を用いるものとする。
【００１５】
同図に示すように、この電子ピアノ１は、従来と同様、側板２で取り囲まれたピアノ本体３を備えている。ピアノ本体３の前部には、鍵盤１３、および各種のスイッチや表示器などを取り付けた操作パネル１４が設けられている。また、図示しないが、ピアノ本体３の内部には、鍵盤１３の押鍵情報を検出する検出装置、その検出結果に応じて演奏音を生成する演奏音生成装置などが設けられている。
【００１６】
ピアノ本体３の上面には、天板４および大屋根５が設けられている。天板４は、左右方向に延びる長方形状のものであり、ピアノ本体３の前部を覆うように側板２の上面に固定されており、譜面台６が取り付けられている。大屋根５は、天板４の後方に隣接して配置され、側板２の低音側端部に、前後２つの蝶番７、７を介して回動自在に取り付けられている。大屋根５の高音側の所定位置には、左右２つの大屋根突揚棒受８、８が設けられている。一方、側板２は、棚板９などとともにピアノ本体３の外装を構成しており、高音側の内側面には、大屋根突揚棒１０の一端部が、支軸（図示せず）を介して折りたたみ自在に取り付けられている。
【００１７】
本発明に係る大屋根位置決め装置は、図１に示すように、大屋根５の裏面に取り付けられた突起部材１１（係合凸部）と、側板２の内側面に取り付けられた金具１２で構成されている。
【００１８】
突起部材１１は、例えば、硬質のゴムなどの弾性を有する材料で構成されている。図３に示すように、突起部材１１は、円錐台形状に形成されており、上下方向にテーパが付けられている。突起部材１１の中心には、上下方向に貫通する取付用の孔１１ａが形成されており、突起部材１１は、この孔１１ａに通したねじ１５により、テーパが下向きの状態で大屋根５に固定されている。また、孔１１ａの下端部は、径の大きな収容部１１ｂになっており、ねじ１５の頭部がこの収容部１１ｂに収容されることによって、突起部材１１からねじ１５が下方に突出しないようになっている。
【００１９】
金具１２は、図２に示すように、Ｌ形のものであり、Ｌ形の一方の辺が側板取付部１２ａに、他方の辺が大屋根受け部１２ｂになっている。金具１２は、大屋根５の突起部材１１に対応する所定の位置に配置され、側板取付部１２ａは、側板２の内側面にねじ（図示せず）で固定されており、大屋根受け部１２ｂは、側板２から内方にかつこれとほぼ同じ高さで、水平に延びている。大屋根受け部１２ｂの中央には、大屋根５の位置決め用の嵌合孔１２ｃが設けられている。嵌合孔１２ｃは、突起部材１１の形状に対応して円形状に形成されている。また、この嵌合孔１２ｃは、テーパを有する突起部材１１の径の大きな上面１１ｃ（大屋根５側の面）の径よりもわずかに大きく、また、下面１１ｄの径よりも非常に大きな径に設定されている。
【００２０】
また、大屋根５の裏面には、複数のゴム突起１６が、側板２の上面に沿う所定の位置に間隔を隔てて設けられている。これらのゴム突起１６は、大屋根５が閉鎖したときに、側板２の上面に当接し、それにより大屋根５および側板２が損傷しないようになっている。
【００２１】
次に、上記構成の電子ピアノ１における大屋根５の開閉動作を、図１、図２および図４を参照しながら説明する。大屋根５を開放する場合には、図１に示すように、大屋根５の自由端側を上方に持ち上げると、蝶番７を中心として大屋根５が回動し、折りたたまれていた大屋根突揚棒１０を持ち上げて回動させ、その先端部を大屋根５の大屋根突揚棒受８に係合させる。これにより、大屋根５が、所定の開放角度で開放状態に保持される。
【００２２】
一方、大屋根５を閉鎖する場合には、大屋根５を少し持ち上げて大屋根突揚棒１０の先端部を大屋根突揚棒受８から取り外し、大屋根突揚棒１０を折りたたんだ後、大屋根５を蝶番７を中心として下方に回動させる。その後、大屋根５が側板２の上面に近づいたら、図２に示すように、大屋根５の裏面の突起部材１１を、金具１２の嵌合孔１２ｃに嵌合させる。この場合、突起部材１１が嵌合孔１２ｃに対して前後方向にずれているときは、突起部材１１の位置が嵌合孔１２ｃに合うように、大屋根５を前後方向に移動させ、調整しながら、突起部材１１の下端部を嵌合孔１２ｃに嵌合させた後、大屋根５を下方に回動させる。このように、突起部材１１を嵌合孔１２ｃに嵌合させた後、大屋根５を下降させることによって、前後および左右方向のずれを修正しながら、大屋根５を側板２、すなわちピアノ本体３に対して、前後および左右方向の所定位置に容易に位置決めすることができる。また、嵌合孔１２ｃへの突起部材１１の嵌合は、突起部材１１が下向きに、すなわち上面１１ｃから下面１１ｄに向かってテーパを有するので、容易に行うことができる。また、その後、大屋根５の裏面の複数のゴム突起１６が、側板２の上面に当接し、その状態で大屋根５が閉鎖される。以上により、大屋根５は、天板４と上面が面一で且つピアノ本体３を覆った状態で、閉鎖される（図４参照）。
【００２３】
以上のように、本実施形態によれば、大屋根５の閉鎖時に、突起部材１１を金具１２の嵌合孔１２ｃに嵌合させることにより、大屋根５を所定の位置に容易に位置決めできる。これにより、支点となる２つの蝶番７、７間の間隔が短いために、大屋根５の高音側（自由端側）が前後方向にぶれやすい場合でも、大屋根５の高音側の前後方向のずれを防止した状態で、大屋根５を閉鎖することができる。これにより、大屋根５とその前方に隣接する天板４との間の隙間が、低音側（Ｇ１）と高音側（Ｇ２）とで互いに同じになり、ばらつきがなくなるので、外観を向上させることができる。
【００２４】
また、突起部材１１が、硬質のゴムなどの弾性を有する材料で構成されているので、大屋根５を閉鎖する際に、側板２などに傷がつかないようにするとともに、突起部材１１が嵌合孔１２ｃと嵌合するときの接触音を防ぐことができる。また、突起部材１１には下向きのテーパが付けられているので、大屋根５の閉鎖時に、突起部材１１が嵌合孔１２ｃに嵌合しやすくなり、開放時には、嵌合孔１２ｃから抜けやすくなる。これにより、大屋根５の開閉操作を容易に行うことができる。さらに、金具１２が、側板２の内側面に取り付けられ、大屋根５の閉鎖状態では外部からはまったく見えないので、電子ピアノ１の外観をそのまま維持することができる。また、突起部材１１の孔１１ａの下端部に形成された収容部１１ｂに、ねじ１５の頭部が収容されていて、ねじ１５が突起部材１１から下方に突出しないので、ねじ１５の頭部による他の部材の損傷を防止できるとともに、突起部材１１の外観を損なうことがない。
【００２５】
なお、本発明は、説明した実施形態に限定されることなく、種々の形態で実施することができる。例えば、説明した実施形態では、金具１２は、Ｌ形のものであるが、これに代えて、突起部材１１と係合するような上面が開口した箱形やコの字状などのものでもよい。さらに、実施形態では、大屋根５の裏面に突起部材１１を設け、側板２の内側面に金具１２をそれぞれ１個設けた例であるが、これらを複数個設けてもく、さらには、突起部材１１および金具１２の取付位置を、側板２側と大屋根５側との間で入れ換えてもよい。
【００２６】
図５は、本発明の第２実施形態による大屋根位置決め装置を示している。本実施形態は、上述した第１実施形態と比較し、側板２に設けられた嵌合孔の構成のみが異なる。すなわち、第１実施形態では、嵌合孔１２ｃが、側板２に取り付けられた金具１２に形成されているのに対し、この第２実施形態では、嵌合孔２２が、側板２の上面に直接、形成されている。これに伴い、大屋根５の裏面の突起部材１１は、嵌合孔２２と嵌合するよう、第１実施形態の突起部材１１よりも外側に配置されている。また、嵌合孔２２の内側面には、突起部材１１と同様のテーパが付けられている。このような構成により、大屋根５の閉鎖時に、突起部材１１を、側板２の上面に形成された嵌合孔２２に嵌合させることによって、第１実施形態と同様の効果を得ることができる。
【００２７】
なお、本実施形態においても、突起部材１１および嵌合孔２２をそれぞれ複数個設けてもよく、さらには、それらの取付位置を、側板２側と大屋根５側との間で入れ換えてもよい。また、嵌合孔２２のテーパを省略し、嵌合孔２２を円筒状に形成してもよい。さらに、突起部材１１が嵌合するときに、嵌合孔２２の内側面などに傷がつかないように、嵌合孔２２の内側面にこれを覆うように、金属や硬質のプラスチックなどの補強材を設けてもよい。
【００２８】
さらに、本発明は、グランド型の電子ピアノに適用した例であるが、これに代えて、アコースティック型のグランドピアノに適用してもよいことは、もちろんである。その他、本発明の趣旨の範囲内で、細部を適宜、変更することが可能である。
【００２９】
【発明の効果】
以上詳述したように、本発明のグランド型ピアノの大屋根位置決め装置は、大屋根の閉鎖時に、大屋根を所定の位置に容易に位置決めでき、それにより、外観の向上を図ることができるなどの効果を有している。
【図面の簡単な説明】
【図１】本発明の第１実施形態による大屋根位置決め装置を適用したグランド型の電子ピアノの斜視図である。
【図２】図１の大屋根位置決め装置を示す斜視図である。
【図３】本発明の実施形態による突起部材を大屋根とともに示す（ａ）正面図、（ｂ）断面図および（ｃ）底面図である。
【図４】本発明の実施形態による大屋根位置決め装置を適用したグランド型の電子ピアノの大屋根を閉鎖した状態の平面図である。
【図５】本発明の第２実施形態による大屋根位置決め装置を示す斜視図である。
【図６】従来の一般的なグランド型の電子ピアノの斜視図である。
【図７】図６のグランド型の電子ピアノの大屋根を閉鎖した状態の平面図である。
【符号の説明】
１  グランド型の電子ピアノ（グランド型ピアノ）
２  側板
５  大屋根
７  蝶番（支点）
１１  突起部材
１２  金具
１２ａ  側板取付部
１２ｂ  大屋根受け部
１２ｃ  嵌合孔
２２  嵌合孔
【図１】
2004151302.tif 000003
【図２】
2004151302.tif 000004
【図３】
2004151302.tif 000005
【図４】
2004151302.tif 000006
【図５】
2004151302.tif 000007
【図６】
2004151302.tif 000008
【図７】
2004151302.tif 000009